(57)【要約】【課題】通話時の操作を簡単にするとともに、消費電力を低減することが可能となる電話機用Ｂｌｕｅｔｏｏｔｈアダプタを提供する。【解決手段】音声の入出力機能を有するＢｌｕｅｔｏｏｔｈ端末機器２０との間でデータ送受信可能なＢｌｕｅｔｏｏｔｈモジュール１と、Ｂｌｕｅｔｏｏｔｈモジュール１の動作を制御する制御部２とを備え、制御部２が、電話機３０側から着信信号又は発信信号を受け取るに伴い、Ｂｌｕｅｔｏｏｔｈモジュール１への電源供給をオンするとともに、Ｂｌｕｅｔｏｏｔｈモジュール１とＢｌｕｅｔｏｏｔｈ端末機器２０との間で通信リンクを形成してＢｌｕｅｔｏｏｔｈ端末機器２０にて電話機３０の音声を入出力可能とするために、Ｂｌｕｅｔｏｏｔｈモジュール１に対してリンク形成指令を出力する。【選択図】　　　　図１
2004147266.tif 000002
【特許請求の範囲】
【請求項１】
音声の入出力機能を有するＢｌｕｅｔｏｏｔｈ端末機器との間でデータ送受信可能なＢｌｕｅｔｏｏｔｈモジュールと、
前記Ｂｌｕｅｔｏｏｔｈモジュールの動作を制御する制御部とを備えた電話機用Ｂｌｕｅｔｏｏｔｈアダプタであって、
前記制御部が、電話機側から着信信号又は発信信号を受け取るに伴い、前記Ｂｌｕｅｔｏｏｔｈモジュールへの電源供給をオンするとともに、前記Ｂｌｕｅｔｏｏｔｈモジュールと前記Ｂｌｕｅｔｏｏｔｈ端末機器との間で通信リンクを形成して前記Ｂｌｕｅｔｏｏｔｈ端末機器にて電話機の音声を入出力可能とするために、前記Ｂｌｕｅｔｏｏｔｈモジュールに対してリンク形成指令を出力する電話機用Ｂｌｕｅｔｏｏｔｈアダプタ。
【請求項２】
前記制御部が、電話機側から通話終了信号を受け取るに伴い、前記Ｂｌｕｅｔｏｏｔｈモジュールへの電源供給をオフする請求項１記載の電話機用Ｂｌｕｅｔｏｏｔｈアダプタ。
【請求項３】
前記制御部が、前記Ｂｌｕｅｔｏｏｔｈモジュールと前記Ｂｌｕｅｔｏｏｔｈ端末機器との間の通信リンクの切断を検知するに伴い、電話機側に通話終了指令を出力し、且つ、前記Ｂｌｕｅｔｏｏｔｈモジュールへの電源供給をオフする請求項１又は２記載の電話機用Ｂｌｕｅｔｏｏｔｈアダプタ。
【請求項４】
前記制御部と電話機との間で信号を入出力するために、電話機に装備されたシステムコネクタに接続可能なコネクタが備えられ、
前記コネクタを前記システムコネクタに接続するに伴って、前記制御部に電源が供給される請求項１〜３のいずれかに記載の電話機用Ｂｌｕｅｔｏｏｔｈアダプタ。
【請求項５】
前記制御部と電話機との間で信号を入出力するために、電話機に装備されたシステムコネクタに接続可能なコネクタが備えられ、
音声信号が前記システムコネクタと前記コネクタを経由して入出力される請求項１〜４のいずれかに記載の電話機用Ｂｌｕｅｔｏｏｔｈアダプタ。
【発明の詳細な説明】
【０００１】
【発明の属する技術分野】
本発明は、Ｂｌｕｅｔｏｏｔｈ技術を用いて、携帯電話機等で通話するときの音声を別の端末機器で入出力するための電話機用Ｂｌｕｅｔｏｏｔｈアダプタに関し、具体的には、音声の入出力機能を有するＢｌｕｅｔｏｏｔｈ端末機器との間でデータ送受信可能なＢｌｕｅｔｏｏｔｈモジュールと、前記Ｂｌｕｅｔｏｏｔｈモジュールの動作を制御する制御部とを備えた電話機用Ｂｌｕｅｔｏｏｔｈアダプタに関する。
【０００２】
【従来の技術】
図４に示すように、上記電話機用Ｂｌｕｅｔｏｏｔｈアダプタ（以下、アダプタと略す。）は、従来、Ｂｌｕｅｔｏｏｔｈ通信機能を有するＢｌｕｅｔｏｏｔｈモジュールや、ＣＰＵ等からなる制御部を内蔵するとともに、電源スイッチやコールスイッチ（以下、通信スイッチとも呼ぶ）を備え、音声信号の入出力ケーブルを電話機（例えば携帯電話機）のマイクイヤホン端子に接続するように構成していた。一方、Ｂｌｕｅｔｏｏｔｈ端末機器（以下、ハンズフリーユニットとも呼ぶ）には、アダプタと同様のＢｌｕｅｔｏｏｔｈモジュールを内蔵する他、音声入力用のマイクや音声出力用のスピーカ、電源スイッチ、通信ボタン（通話スイッチとも呼ぶ）が備えられている。
【０００３】
そして、準備操作として、アダプタの電源スイッチとハンズフリーユニットの電源スイッチを押して電源オン状態にしておき、電話がかかってきた場合は、先ず、携帯電話機の通話ボタンを押し、次に、アダプタのコールボタンとハンズフリーユニットの通話ボタンを押してアダプタとハンズフリーユニットの間で通信リンクを形成させてから、ハンズフリーユニットのマイクとスピーカで相手と話しをするようにしていた（これを第１の従来技術と呼ぶ）。
【０００４】
ところで、電話機用Ｂｌｕｅｔｏｏｔｈアダプタの一例として、携帯電話機に装備されたシステムコネクタにコネクタで信号接続するとともに、電話機のケースに一体的に結合された形態のものが示されている（例えば、特許文献１参照）。なお、この特許文献１には、電話がかかってきたときのスイッチ操作については、特には記載されていない。
【０００５】
【特許文献１】
特開２００２−２３７７６２号公報（第２−６頁、図１〜図８）
【０００６】
【発明が解決しようとする課題】
しかしながら、上記第１の従来技術では、ハンズフリーユニットで通話を開始するまでに、「携帯電話機の通話ボタン」、「アダプタのコールボタン」、「ハンズフリーユニットの通話ボタン」と多数のスイッチ操作を要し、操作が煩雑であるという不都合があった。なお、アダプタとハンズフリーユニットの電源投入時に、アダプタとハンズフリーユニットの間で通信リンクを形成することは可能であるが、このような操作は現実的でないと考えられる。すなわち、外来ノイズや間違ったボタン操作によってリンクが切断する場合があり、また、通信リンクを形成した状態では、Ｂｌｕｅｔｏｏｔｈモジュールが通話時と同等の電力を消費するため、アダプタやハンズフリーユニットの電池の消耗が速くなる不利がある。
なお、電話をかける場合においても、携帯電話機での番号入力操作の他に、手動で通信リンクを形成する操作が必要であり、電話がかかってきた場合と同様に操作が煩雑であった。
【０００７】
本発明は、上記実情に鑑みてなされたものであり、その目的は、通話時の操作を簡単にするとともに、無駄な消費電力を低減することが可能となる電話機用Ｂｌｕｅｔｏｏｔｈアダプタを提供することにある。
【０００８】
【課題を解決するための手段】
上記目的を達成するための本発明に係る電話機用Ｂｌｕｅｔｏｏｔｈアダプタの第一の特徴構成は、請求項１に記載した如く、前記制御部が、電話機側から着信信号又は発信信号を受け取るに伴い、前記Ｂｌｕｅｔｏｏｔｈモジュールへの電源供給をオンするとともに、前記Ｂｌｕｅｔｏｏｔｈモジュールと前記Ｂｌｕｅｔｏｏｔｈ端末機器との間で通信リンクを形成して前記Ｂｌｕｅｔｏｏｔｈ端末機器にて電話機の音声を入出力可能とするために、前記Ｂｌｕｅｔｏｏｔｈモジュールに対してリンク形成指令を出力する点にある。
【０００９】
同第二の特徴構成は、請求項２に記載した如く、上記第一の特徴構成に加えて、前記制御部が、電話機側から通話終了信号を受け取るに伴い、前記Ｂｌｕｅｔｏｏｔｈモジュールへの電源供給をオフする点にある。
【００１０】
同第三の特徴構成は、請求項３に記載した如く、上記第一又は第二の特徴構成に加えて、前記制御部が、前記Ｂｌｕｅｔｏｏｔｈモジュールと前記Ｂｌｕｅｔｏｏｔｈ端末機器との間の通信リンクの切断を検知するに伴い、電話機側に通話終了指令を出力し、且つ、前記Ｂｌｕｅｔｏｏｔｈモジュールへの電源供給をオフする点にある。
【００１１】
同第四の特徴構成は、請求項４に記載した如く、上記第一から第三のいずれかの特徴構成に加えて、前記制御部と電話機との間で信号を入出力するために、電話機に装備されたシステムコネクタに接続可能なコネクタが備えられ、前記コネクタを前記システムコネクタに接続するに伴って、前記制御部に電源が供給される点にある。
【００１２】
同第五の特徴構成は、請求項５に記載した如く、上記第一から第四のいずれかの特徴構成に加えて、前記制御部と電話機との間で信号を入出力するために、電話機に装備されたシステムコネクタに接続可能なコネクタが備えられ、音声信号が前記コネクタと前記システムコネクタを経由して入出力される点にある。
【００１３】
以下に作用並びに効果を説明する。
本発明に係る電話機用Ｂｌｕｅｔｏｏｔｈアダプタの第一の特徴構成によれば、音声の入出力機能を有するＢｌｕｅｔｏｏｔｈ端末機器との間でデータ送受信可能なＢｌｕｅｔｏｏｔｈモジュールの動作を制御する制御部が、電話機側から着信信号又は発信信号を受け取るに伴い、Ｂｌｕｅｔｏｏｔｈモジュールへの電源供給をオンするとともに、ＢｌｕｅｔｏｏｔｈモジュールとＢｌｕｅｔｏｏｔｈ端末機器との間で通信リンクを形成してＢｌｕｅｔｏｏｔｈ端末機器にて電話機の音声を入出力可能とするために、Ｂｌｕｅｔｏｏｔｈモジュールに対してリンク形成指令を出力する。
【００１４】
すなわち、相手から電話がかかってきた場合は、電話機側から制御部に着信信号が出され、相手に電話をかける場合は、電話機側から制御部に発信信号が出され、制御部がその着信信号又は発信信号のいずれかを受け取ると、Ｂｌｕｅｔｏｏｔｈモジュールの電源供給をオンするとともに、Ｂｌｕｅｔｏｏｔｈモジュールに対してリンク形成指令を出力する。そして、Ｂｌｕｅｔｏｏｔｈモジュールは、制御部からリンク形成指令を受け取ると、Ｂｌｕｅｔｏｏｔｈ端末機器に呼び出し信号を出力し、その呼び出し信号にＢｌｕｅｔｏｏｔｈ端末機器が応答して、Ｂｌｕｅｔｏｏｔｈ端末機器との間に通信リンクが形成されると、その通信リンクを介して電話の音声データが送受信されて、Ｂｌｕｅｔｏｏｔｈ端末機器によって電話の音声が入出力され、相手と話しをすることができる。
【００１５】
従って、電話をかける場合又は電話がかかってきた場合のいずれにおいても、アダプタ側から自動的に出力される呼び出し信号に応じてＢｌｕｅｔｏｏｔｈ端末機器側で応答操作（例えば、Ｂｌｕｅｔｏｏｔｈ端末機器に備えた通話ボタンの押し操作）をするだけで、通話を開始することができるので、通話時の操作を簡単にすることが可能となり、また、電話をかけるかあるいは電話がかかってきて通話するときだけＢｌｕｅｔｏｏｔｈモジュールに電源が供給され、それ以外の待機時には電源が供給されないので、無駄な消費電力を低減することが可能となる電話機用Ｂｌｕｅｔｏｏｔｈアダプタが提供される。
【００１６】
同第二の特徴構成によれば、前記制御部が、電話機側から通話終了信号を受け取るに伴い、前記Ｂｌｕｅｔｏｏｔｈモジュールへの電源供給をオフする。
すなわち、通話中に相手側が通話終了操作をした場合、あるいは、こちら側の電話機で通話終了操作をした場合は、電話機側から制御部に通話終了信号が出され、制御部が通話終了信号を受け取ると、Ｂｌｕｅｔｏｏｔｈモジュールへの電源供給がオフされる。
従って、電話機側での通話終了操作がなされたときに、確実にＢｌｕｅｔｏｏｔｈモジュールへの電源供給をオフして、消費電力の低減を実現することが可能となる電話機用Ｂｌｕｅｔｏｏｔｈアダプタの好適な実施形態が提供される。
【００１７】
同第三の特徴構成によれば、前記制御部が、前記Ｂｌｕｅｔｏｏｔｈモジュールと前記Ｂｌｕｅｔｏｏｔｈ端末機器との間の通信リンクの切断を検知するに伴い、電話機側に通話終了指令を出力するとともに、前記Ｂｌｕｅｔｏｏｔｈモジュールへの電源供給をオフする。
すなわち、通話中にＢｌｕｅｔｏｏｔｈ端末機器の電源がオフされるか、あるいは、アダプタ側でボタン操作等によって、通信リンクが切断されたような場合には、その通信リンクの切断を検知して通話終了を判断する。
従って、電話機側での通話終了操作がなされず、通話終了のために通信リンクが切断されたようなときでも、確実にＢｌｕｅｔｏｏｔｈモジュールへの電源供給をオフして消費電力の低減を実現し、且つ、電話機側に通話終了を指令して電話回線を確実に切断させることが可能となる電話機用Ｂｌｕｅｔｏｏｔｈアダプタの好適な実施形態が提供される。
【００１８】
同第四の特徴構成によれば、前記制御部と電話機との間で信号を入出力するために電話機に装備されたシステムコネクタに、アダプタ側に備えたコネクタを接続するに伴って、前記制御部に電源が供給される。
すなわち、アダプタに電源オンオフ用のスイッチを設ける必要がなく、電源をオンするために特別なスイッチ操作も不要である。
従って、電源投入のための装置構成が簡素で且つ操作が容易になる電話機用Ｂｌｕｅｔｏｏｔｈアダプタの好適な実施形態が提供される。
【００１９】
同第五の特徴構成によれば、前記制御部と電話機との間で信号を入出力するために電話機に装備されたシステムコネクタと、これに接続されたアダプタ側のコネクタを経由して、音声信号が入出力される。
すなわち、上記システムコネクタは音声信号を高振幅値の状態で通すことができ、例えば、音声信号を低振幅値の状態でしか通すことができない電話機のマイクイヤホン端子に音声信号ケーブルを接続する場合のように、アダプタから出力される音声信号を予め減衰させることが不要となるので、信号減衰に伴うＳＮ比の低下が抑制される。同時に、取扱に邪魔なイヤホンケーブルも不要となる。
従って、Ｂｌｕｅｔｏｏｔｈ端末機器により高品質の音声での通話が可能となる電話機用Ｂｌｕｅｔｏｏｔｈアダプタの好適な実施形態が提供される。
【００２０】
【発明の実施の形態】
本発明に係る電話機用Ｂｌｕｅｔｏｏｔｈアダプタの実施形態について、図面に基づいて説明する。
上記アダプタ１０は、図１〜図２に示すように、音声の入出力機能を有するＢｌｕｅｔｏｏｔｈ端末機器２０との間でデータ送受信可能なＢｌｕｅｔｏｏｔｈモジュール１と、前記Ｂｌｕｅｔｏｏｔｈモジュール１の動作を制御する制御部２と、これらに作動用電力を供給するためのバッテリー（電池）３を備えている。尚、Ｂｌｕｅｔｏｏｔｈモジュール１には、アナログの音声信号をデジタルの音声信号に又その逆に変換するインターフェースであるＣＯＤＥＣ部１ａが設けられ、制御部２はＣＰＵ等で構成される。また、上記Ｂｌｕｅｔｏｏｔｈ端末機器２０には、音声入力用のマイク２１と、音声出力用のスピーカ２２と、電源スイッチ２３と、通話ボタン２４が設けられ、例えば自動車の運転席の前方のサンバイザーに取り付けて、運転者がハンズフリー式に電話機で通話するときに使用される。
【００２１】
上記アダプタ１０には、前記制御部２と電話機（具体的には、携帯電話機）３０との間で信号を入出力するために、電話機３０に装備されたシステムコネクタ３１に接続可能なコネクタ５が備えられ、このコネクタ５を電話機側のシステムコネクタ３１に接続するに伴って、前記制御部２に電源が供給される。すなわち、図１に示すように、前記バッテリー３の出力端子がトランジスタ４を介して制御部２の電源端子Ｖｃｃに接続され、上記システムコネクタ３１とコネクタ５の接続に伴ってトランジスタ４がオンするように、トランジスタ４のベースがシステムコネクタ３１を通して接地される構成となっている。
【００２２】
なお、制御部２と電話機３０との間で制御信号は、電話機３０から制御部２に入力する下りシリアル信号と、制御部２から電話機３０へ出力する上りシリアル信号の各端子を通して授受される。
【００２３】
通話時の音声信号が前記システムコネクタ３１とコネクタ５を経由して入出力されている。すなわち、図１に示すように、電話機から出力されたアナログの受信音声信号がシステムコネクタ３１とコネクタ５を通って前記ＣＯＤＥＣ部１ａに入力され、ＣＯＤＥＣ部１ａでデジタル信号に変換された後、Ｂｌｕｅｔｏｏｔｈモジュール１から前記Ｂｌｕｅｔｏｏｔｈ端末機器２０に送られて前記スピーカ２２から音声として出力され、一方、前記Ｂｌｕｅｔｏｏｔｈ端末機器２０のマイク２１に入力されたアナログの音声信号が、前記Ｂｌｕｅｔｏｏｔｈ端末機器２０側でデジタル信号に変換された後、Ｂｌｕｅｔｏｏｔｈモジュール１に送信され、ＣＯＤＥＣ部１ａでアナログの音声信号に変換されてから出力される構成となっている。
【００２４】
そして、上記システムコネクタ３１を通しての音声信号の入出力により、従来のイヤホンマイク端子の場合に比べて音声品質が大きく改善される。すなわち、例えば携帯電話の仕様では、マイク入力を想定して、イヤホンマイク端子に入力する送話音声の標準信号レベルは、−４７ｄＢＶ（＝０．０１Ｖｐｐ）と非常に小さい値に規定されている。一方、システムコネクタ３１では、−２２ｄＢＶ（＝０．２２１Ｖｐｐ）と大きな値に規定されている。そのため、−２２ｄＢＶ程度の信号レベルであるＢｌｕｅｔｏｏｔｈモジュール１の音声出力信号は、イヤホンマイク端子の場合は、過大入力とならないよう信号レベルを約２５ｄＢ減衰して入力する必要があり、その結果、Ｓ／Ｎ比（信号対雑音比）で約２５ｄＢ悪くなるのに対して、システムコネクタ３１の場合はそのまま入力することができ、Ｓ／Ｎ比の低下が回避される。尚、受話音声の場合は、イヤホンマイク端子とシステムコネクタで同等の標準信号レベル（−２２ｄＢＶ）であり、差はない。
【００２５】
次に、電話機３０で電話をする場合の通話制御について説明すると、前記制御部２が、電話機側から着信信号又は発信信号（相手から電話がかかってきたときは着信信号、相手に電話をかけるときは発信信号になる）を受け取るに伴い、前記Ｂｌｕｅｔｏｏｔｈモジュール１への電源供給をオンする（具体的には、Ｂｌｕｅｔｏｏｔｈモジュール１に電源オン指令を出力する）とともに、Ｂｌｕｅｔｏｏｔｈモジュール１と前記Ｂｌｕｅｔｏｏｔｈ端末機器２０との間で通信リンクを形成して前記Ｂｌｕｅｔｏｏｔｈ端末機器２０にて電話機３０の音声を入出力可能とするために、Ｂｌｕｅｔｏｏｔｈモジュール１に対してリンク形成指令（具体的には、コール信号）を出力する。
そして、Ｂｌｕｅｔｏｏｔｈモジュール１は、制御部２からリンク形成指令を受け取ると、Ｂｌｕｅｔｏｏｔｈ端末機器２０に呼び出し信号を出力し、これによってＢｌｕｅｔｏｏｔｈ端末機器２０側で呼び出し音が鳴るので、これに応答する（具体的には、Ｂｌｕｅｔｏｏｔｈ端末機器２０の通話ボタン２４を押す）と、上記通信リンクが形成され、この通信リンクを介してＢｌｕｅｔｏｏｔｈ端末機器２０で通話することができる。
【００２６】
また、通話を終了させるための動作として、電話機側で通話終了が操作された場合に対応して、前記制御部２が、電話機側から通話終了信号を受け取るに伴い、前記Ｂｌｕｅｔｏｏｔｈモジュール１への電源供給をオフするように構成されている。尚、電話機側で通話終了が操作される場合には、電話の相手が通話を終了させた場合と、こちらの電話機３０の通話ボタンが押されて通話が終了した場合の両方を含む。
さらに、例えばＢｌｕｅｔｏｏｔｈ端末機器２０の電源スイッチ２３をオフ操作して、Ｂｌｕｅｔｏｏｔｈモジュール１とＢｌｕｅｔｏｏｔｈ端末機器２０との間の通信リンクが切断された場合に対応して、前記制御部２が、前記Ｂｌｕｅｔｏｏｔｈモジュール１と前記Ｂｌｕｅｔｏｏｔｈ端末機器２０との間の通信リンクの切断を検知するに伴い、電話機側に通話終了指令を出力し、且つ、前記Ｂｌｕｅｔｏｏｔｈモジュール１への電源供給をオフするように構成されている。
【００２７】
制御部２による上記通話制御のフローチャートを図３に示す。まず、電話機３０側から着信コマンド又は発信コマンドを受け取ったか否かを判断し、両コマンドの何れも受け取っていないときは、始めに戻る。着信コマンドを受け取った場合は、電話機３０側に通話開始コマンドを返してから、又、発信コマンドを受け取った場合は直ちに、Ｂｌｕｅｔｏｏｔｈモジュール１に対して、電源オン指令を出力するとともに、コール信号を出力する。ここで、図示はしないが、上記コール信号を受け取ったＢｌｕｅｔｏｏｔｈモジュール１は、Ｂｌｕｅｔｏｏｔｈ端末機器２０を呼び出して、通信リンクを形成するための動作を行う。
【００２８】
次に、電話機３０側から通話終了コマンドを受け取ったか否かを判断し、通話終了コマンドを受け取っていない場合は、Ｂｌｕｅｔｏｏｔｈモジュール１からＢｌｕｅｔｏｏｔｈ端末機器２０との間の通信リンクが切断した信号が出力されているか否かを判断する。そして、Ｂｌｕｅｔｏｏｔｈモジュール１から通信リンクの切断状態を示す信号を入力して通信リンクの切断を検知した場合は、電話機３０側に通話終了コマンドを返してから、又、電話機側から通話終了コマンドを受け取った場合は直ちに、Ｂｌｕｅｔｏｏｔｈモジュール１に対して、電源オフ指令を出力して、通話制御を終了する。
【００２９】
以上説明したように、本発明のＢｌｕｅｔｏｏｔｈアダプタでは、Ｂｌｕｅｔｏｏｔｈモジュール１内でＢｌｕｅｔｏｏｔｈチップによって実行される制御ファームの変更（ソフトの変更）をせず、制御部２に備えた８ビット程度の安価なＣＰＵ（マイコン）を使用して通話制御を実現することができる。その結果、Ｂｌｕｅｔｏｏｔｈチップのソフトを変更する場合の多額のソフト開発費用（ソフトコードの開示費用など）が不要であるとともに、Ｂｌｕｅｔｏｏｔｈチップについての高度なソフトウエアの知識も不要である。
【００３０】
〔別実施形態〕
上記実施形態では、Ｂｌｕｅｔｏｏｔｈ端末機器２０を、自動車の運転席前方のサンバイザーに取り付けるタイプに構成したが、これ以外に、いわゆるヘッドセットタイプのハンズフリーユニットに構成してもよい。
【００３１】
上記実施形態では、電話機用Ｂｌｕｅｔｏｏｔｈアダプタ１０に電源スイッチを設けず、コネクタ５をシステムコネクタ３１に接続したときにアダプタ１０の電池３から制御部２に電源が供給される構成としたが、これ以外に、アダプタ１０に電源供給オンオフ用の電源スイッチを設けてもよい。
【００３２】
また、上記実施形態では、電話機用Ｂｌｕｅｔｏｏｔｈアダプタ１０に通信スイッチ（従来品のコールスイッチ、図４参照）を設けていないが、例えば、Ｂｌｕｅｔｏｏｔｈアダプタ１０とＢｌｕｅｔｏｏｔｈ端末機器２０の間の距離が長く、通信リンクが安定に形成されないおそれがあるような使用の場合に、通信スイッチを用いて手動でＢｌｕｅｔｏｏｔｈ端末機器２０を呼び出して、通信リンクの形成テストを行うような構成も可能である。
【００３３】
上記実施形態では、電話機用Ｂｌｕｅｔｏｏｔｈアダプタに電源供給用の電池３を備えたが、これ以外に、アダプタには電池を備えず、コネクタ５をシステムコネクタ３１に接続したときに、電話機側の電池等からアダプタ側に電源が供給されるような構成でもよい。
なお、図示はしないが、上記アダプタの電池３はアダプタ用の充電器によって充電するが、このとき、コネクタ５とシステムコネクタ３１を介して、電話機３０側の電池を同時に充電するような構成も可能である。
【００３４】
上記実施形態では、音声信号をコネクタ５とシステムコネクタ３１を経由して入出力するように構成したが、例えば電話機側のシステムコネクタを使わずに、イヤホンマイク端子によって入出力するように構成も可能である。
【図面の簡単な説明】
【図１】本発明に係る電話機用Ｂｌｕｅｔｏｏｔｈアダプタと、Ｂｌｕｅｔｏｏｔｈ端末機器のブロック構成図
【図２】本発明に係る電話機用Ｂｌｕｅｔｏｏｔｈアダプタと、Ｂｌｕｅｔｏｏｔｈ端末機器の全体外観図
【図３】通話制御のフローチャート
【図４】従来の電話機用Ｂｌｕｅｔｏｏｔｈアダプタと、Ｂｌｕｅｔｏｏｔｈ端末機器の全体構成図
【符号の説明】
１　　　Ｂｌｕｅｔｏｏｔｈモジュール
２　　　制御部
５　　　コネクタ
１０　　電話機用Ｂｌｕｅｔｏｏｔｈアダプタ
２０　　Ｂｌｕｅｔｏｏｔｈ端末機器
３０　　電話機
３１　　システムコネクタ
【図１】
2004147266.tif 000003
【図２】
2004147266.tif 000004
【図３】
2004147266.tif 000005
【図４】
2004147266.tif 000006